(57)【要約】      （修正有）【課題】ユーザに対して、所定のテーマの価値の変動を利用したサービスを提供する。【解決手段】情報処理装置（管理サーバ）は、評価の対象となるテーマを決定するテーマ決定部と、所定の指標に基づくテーマの価値の評価を、テーマインデックスとしてテーマ毎に管理するＤＢ管理部と、を備える。さらに、情報処理装置は、テーマインデックスの動向に応じて生じ得る利益又は損失を得る権利をユーザ権利として作成して管理するユーザ権利管理部を備える。【選択図】図３
2019139749.tif 000002
【特許請求の範囲】
【請求項１】
評価の対象となるテーマを決定する決定手段と、
所定の指標に基づく前記テーマの価値の評価を、テーマインデックスとして前記テーマ毎に管理する第１管理手段と、
を備える情報処理装置。
【請求項２】
前記テーマインデックスの動向に応じて生じ得る利益又は損失を得る権利をユーザ権利として作成して管理する第２管理手段をさらに備える、
請求項１に記載の情報処理装置。
【請求項３】
決定された前記テーマに紐付く複数種類の銘柄の組合せであるテーマポートフォリオを作成する作成手段をさらに備え、
前記決定手段は、
複数種類の金融商品の銘柄の組合せの作成に際し、前記組合せの基調となる思想や主題の中から、所定の１つを前記テーマとして決定し、
前記第１管理手段は、
決定された前記テーマに基づく前記テーマポートフォリオを実際に所有していた際に生じる又は所有していたならば生じたであろう利益又は損失を指数化したものを、前記テーマインデックスとして管理し、
前記第２管理手段は、
前記テーマインデックスに対応する前記テーマポートフォリオを実際に所有していた際に生じる又は所有していたならば生じたであろう利益又は損失のうち所定の持分に相当する分を得る権利を、前記ユーザ権利として作成して管理する、
請求項２に記載の情報処理装置。
【請求項４】
前記テーマポートフォリオについて、運用パフォーマンスを計測する計測手段をさらに備え、
前記作成手段は、さらに、前記計測手段による計測結果に基づいて、前記テーマポートフォリオのリバランスを行う、
請求項３に記載の情報処理装置。
【請求項５】
情報処理装置が実行する情報処理方法であって、
評価の対象となるテーマを決定する決定ステップと、
指標としてのインデックスに基づいて前記テーマの価値の評価を行う評価ステップと、
前記評価の結果をテーマインデックスとして前記テーマ毎に管理する第１管理ステップと、
を含む情報処理方法。
【請求項６】
情報処理装置を制御するコンピュータに、
評価の対象となるテーマを決定する決定ステップと、
指標としてのインデックスに基づいて前記テーマの価値の評価を行う評価ステップと、
前記評価の結果をテーマインデックスとして前記テーマ毎に管理する第１管理ステップと、
を含む制御処理を実行させるプログラム。
【発明の詳細な説明】
【技術分野】
【０００１】
本発明は、情報処理装置、情報処理方法、及びプログラムに関する。
【背景技術】
【０００２】
目に見えるあらゆる物と、及び目に見えないあらゆるものとをいずれも包含する概念を「テーマ」と定義した場合、テーマの価値は、物差しとなる各種各様な指標に基づいて多方面から評価することができる。
テーマには、当然ながら各種各様なコンテンツも含まれる。特許文献１には、コンテンツの出力時と非出力時に検知された人の数を指標としてコンテンツを評価するコンテンツ評価装置が提案されている。
【０００３】
ところで、ネットワークを介した株式の売買において、ユーザが指定した条件に基づき売買の候補となる銘柄を選定する手法は提案されている（例えば特許文献２参照）。また、株式を含め多くの金融商品はリスクが高いことから、ユーザは一般的に、単一の金融商品のみを購入することはせず、複数の金融商品を組み合わせたポートフォリオの形態で購入することが多い。このようなポートフォリオについては、様々な作成手法が提案されている。例えば、ポートフォリオの構成比率をユーザの投資方針に基づき決定する手法も提案されている（例えば特許文献３参照）。また例えば、「家電」というカテゴリに紐付く「テレビ」、「パソコン」といったタグと呼ばれるテーマ毎に株式のポートフォリオを組む手法も提案されている（特許文献４参照）。
【先行技術文献】
【特許文献】
【０００４】
【特許文献１】特開２０１７−１７４３８５号公報
【特許文献２】特開２００７−１４０９２６号公報
【特許文献３】特開２００３−２２３５５５号公報
【特許文献４】特開２０１７−０１６３３０号公報
【発明の概要】
【発明が解決しようとする課題】
【０００５】
テーマの価値は、評価を行うタイミングや、評価を行うための指標によって大きく変動し得るものである。このため、各分野からは、テーマの価値に関する経時的な評価結果を、評価に用いられた指標毎に把握し、様々な分野に活用したいとする要求がある。特に、投資の分野からは、株式による企業への投資のみならず、低予算で気軽に投資を楽しみたいという要望が近年挙げられているが、従来の技術では、かかる要望に十分応えられていない状況である。
【０００６】
本発明は、このような状況に鑑みてなされたものであり、ユーザに対して、所定のテーマの価値の変動を利用したサービスを提供することを目的とする。
【課題を解決するための手段】
【０００７】
上記目的を達成するため、本発明の一態様の情報処理装置は、
評価の対象となるテーマを決定する決定手段と、
所定の指標に基づく前記テーマの価値の評価を、テーマインデックスとして前記テーマ毎に管理する第１管理手段と、
を備える。
【０００８】
また、前記テーマインデックスの動向に応じて生じ得る利益又は損失を得る権利をユーザ権利として作成して管理する第２管理手段をさらに備えることができる。
【０００９】
また、決定された前記テーマに紐付く複数種類の銘柄の組合せであるテーマポートフォリオを作成する作成手段をさらに備え、
前記決定手段は、
複数種類の金融商品の銘柄の組合せの作成に際し、前記組合せの基調となる思想や主題の中から、所定の１つを前記テーマとして決定し、
前記第１管理手段は、
決定された前記テーマに基づく前記テーマポートフォリオを実際に所有していた際に生じる又は所有していたならば生じたであろう利益又は損失を指数化したものを、前記テーマインデックスとして管理し
前記第２管理手段は、
前記テーマインデックスに対応する前記テーマポートフォリオを実際に所有していた際に生じる又は所有していたならば生じたであろう利益又は損失のうち所定の持分に相当する分を得る権利を、前記ユーザ権利として作成して管理することができる。
【００１０】
また、前記テーマポートフォリオについて、運用パフォーマンスを計測する計測手段をさらに備え、
前記作成手段は、さらに、前記計測手段による計測結果に基づいて、前記テーマポートフォリオのリバランスを行うことができる。
【００１１】
本発明の一態様の情報処理方法及びプログラムは、上述の本発明の一態様の情報処理装置に対応する処理方法及びプログラムである。
【発明の効果】
【００１２】
本発明によれば、ユーザに対して、所定のテーマの価値の変動を利用したサービスを提供することができる。
【図面の簡単な説明】
【００１３】
【図１】本発明の情報処理装置の一実施形態に係る管理サーバを含む情報処理システムの構成例を示す構成図である。
【図２】管理サーバのハードウェア構成を示すブロック図である。
【図３】第１実施形態に係る管理サーバが有する機能的構成のうち、テーマポートフォリオ作成管理処理を実行させるための機能的構成の一例を示す機能ブロック図である。
【図４】第１実施形態に係る管理サーバが実行するテーマポートフォリオ作成管理処理の流れの一例を説明する概要図である。
【図５】図３のユーザ端末に表示されるＧＵＩ（Ｇｒａｐｈｉｃａｌ  Ｕｓｅｒ  Ｉｎｔｅｒｆａｃｅ）の具体例を示す図である。
【図６】第２実施形態に係る管理サーバに、テーマインデックス作成管理処理を実行させるための機能的構成の一例を示す機能ブロック図である。
【図７】第２実施形態に係る管理サーバにより作成されるテーマインデックスの具体例を示す図である。
【発明を実施するための形態】
【００１４】
［システム構成］
図１は、本発明の情報処理装置の一実施形態に係る管理サーバを含む情報処理システムの構成例を示す構成図である。
【００１５】
図１に示す情報処理システムは、詳細については後述するが、テーマインデックスに基づくユーザ権利に関する各種サービス（以下、「本サービス」と呼ぶ）を実現可能なものとすべく、次のように構成されている。即ち、サービス提供者Ｍが管理する管理サーバ１と、ｎ人（ｎは１以上の任意の整数値）の個人投資家等のユーザＵ１乃至Ｕｎの夫々によって操作されるユーザ端末２−１乃至２−ｎの夫々とを含むように、情報処理システムは構成されている。また、情報処理システムには、外部サーバ３が接続されている。
管理サーバ１と、ユーザ端末２−１乃至２−ｎの夫々と、外部サーバ３とは、インターネット等の所定のネットワークＮを介して相互に接続されている。
なお、以下、ユーザＵ１乃至Ｕｎの夫々を区別する必要がない場合、これらをまとめて「ユーザＵ」と呼ぶ。また、「ユーザＵ」と呼んでいる場合には、ユーザ端末２−１乃至２−ｎの夫々をまとめて、「ユーザ端末２」と呼ぶ。
【００１６】
管理サーバ１は、ユーザ端末２を操作するユーザＵに対して、テーマインデックスに基づくユーザ権利に関する各種サービスを提供するための各種処理を実行する。
ユーザ端末２は、ユーザＵが操作する情報処理端末であって、例えばスマートフォン等で構成される。
外部サーバ３は、市場の変化に資する情報を管理するサーバである。
【００１７】
［ハードウェア構成］
図２は、このような情報処理システムのうち、管理サーバ１のハードウェアの構成例を示すブロック図である。
【００１８】
管理サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、出力部１６と、入力部１７と、記憶部１８と、通信部１９と、ドライブ２０とを備えている。
【００１９】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００２０】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００２１】
出力部１６は、ディスプレイやスピーカ等で構成され、各種情報を画像や音声として出力する。
入力部１７は、キーボードやマウス等で構成され、各種情報を入力する。
【００２２】
記憶部１８は、ハードディスクやＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（図１の例ではユーザ端末２や外部サーバ３）との間で通信を行う。
【００２３】
ドライブ２０には、磁気ディスク、光ディスク、光磁気ディスク、或いは半導体メモリ等よりなる、リムーバブルメディア３０が適宜装着される。ドライブ２０によってリムーバブルメディア３０から読み出されたプログラムは、必要に応じて記憶部１８にインストールされる。
また、リムーバブルメディア３０は、記憶部１８に記憶されている各種データも、記憶部１８と同様に記憶することができる。
【００２４】
なお、図示はしないが、図１の情報処理システムのユーザ端末２も、図２に示すハードウェア構成と基本的に同様の構成を有している。
このような図２のハードウェア構成の管理サーバ１を含む図１の情報処理システムは、例えば次のような動作（処理）を実行する。
【００２５】
［第１実施形態］
（サービス内容）
本サービスでは、所定の指標に基づく、テーマの価値の評価のことを「テーマインデックス」と呼ぶ。第１実施形態では、決定されたテーマに紐付く複数種類の株式の銘柄の組合せである、株式のポートフォリオ（以下、単に「ポートフォリオ」と呼ぶ）を作成する。以下、ポートフォリオに対しユーザＵが投資を行う手法について説明する。
即ち、第１実施形態では、ポートフォリオの「株価」が、テーマの価値の評価に用いる指標として用いられることになる。
【００２６】
第１実施形態における管理サーバ１は、各種各様なテーマ毎に、ポートフォリオを作成することができる。ここで、ポートフォリオとは、複数種類の株式の銘柄の組合せであって、銘柄毎の保有比率が決定されたものをいう。「保有比率」とは、ポートフォリオ全体の割合を１００％とした場合における、そのポートフォリオを構成する銘柄毎の全体に対する保有の割合をいう。具体的には例えば、あるポートフォリオが、Ａ社株式とＢ社株式との２種類の銘柄の組合せで構成される場合、仮にＡ社株式の購入比率が４０％であれば、Ｂ社株式の購入比率は６０％となる。以下、所定のテーマに紐づくポートフォリオを、「テーマポートフォリオ」と呼ぶ。
【００２７】
テーマポートフォリオが作成される場合には、複数種類の株式の銘柄の組合せを選択する際の基調となる思想や主題が「テーマ」として取り扱われる。即ち、テーマに直接的に又は間接的に関連性を有する複数種類の株式の銘柄の組合せによってポートフォリオが作成される。
【００２８】
具体的には例えば、テーマが「歌手○○」であれば、歌手○○が所属するレコード会社、歌手○○がＣＭ出演している製菓メーカ等、歌手○○にゆかりのある会社の株式の銘柄の組合せによるポートフォリオを作成することができる。
また例えば、テーマインデックスの動向に同調させたポートフォリオを作成することもできる。つまり、テーマの価値の動向に値動きが同調するような複数種類の株式の銘柄の組合せによってポートフォリオを作成することができる。この場合、テーマの価値の動きにポートフォリオの値動きを合わせることが主眼に置かれることになる。このため、テーマに直接的に又は間接的に関連性を有する銘柄の組合せによってポートフォリオが作成される場合もあるが、テーマに直接的に又は間接的に関連性を有しない銘柄の組合せによってポートフォリオが作成されることもある。
【００２９】
このように、第１実施形態では、テーマ毎にポートフォリオを作成することができるので、ユーザＵにとっての商品選択の幅が広がるとともに、ユーザＵに対し、積極的に投資を行わせる誘因を与えることができる。
【００３０】
管理サーバ１は、テーマポートフォリオ毎に、市場の変化に対応するため、定期的に保有比率を見直すことでリバランスを行う。
そして、管理サーバ１は、このような適宜リバランスを行ったテーマポートフォリオを実際に所有していた際に生じる又は所有していたならば生じたであろう利益又は損失（以下、「リターン」とも呼ぶ）を指数化し、これをテーマインデックスの指標とすることができる。
なお、ここで注意すべき点は、テーマポートフォリオを「所有していたとしたならば生じたであろう利益又は損失」とあるように、テーマインデックスが作成されるにあたり、管理サーバ１（サービス提供者Ｍ）がポートフォリオそのもの（株式自体）を購入する必要は特に無い。
【００３１】
さらに、管理サーバ１は、このように作成されたテーマインデックスをユーザＵに提示し、そのテーマインデックスに対応するテーマポートフォリオを実際に所有していた際に生じる又は所有していたならば生じたであろうリターンのうち、所定の持分に相当する分を得る権利を「ユーザ権利」として作成し、ユーザＵに譲渡する。
ここで、ユーザ権利の譲渡単位（販売単位）、換言するとテーマポートフォリオの「所定の持分」は、株数を単位としてもよいが、任意のものを単位とすることが可能である。例えば１円を単位としてもよい。所定のテーマポートフォリオの所定の持分が、１円を単位としたものである場合、例えば、Ｘ円分のユーザ権利をユーザＵが購入した場合、そのユーザ権利として有するテーマポートフォリオの持分がＸ円である場合、その購入時点のテーマポートフォリオの時価総額がＹ円であるならば、ユーザＵへのリターンは、テーマポートフォリオ全体のリターンのうち（Ｘ／Ｙ）の分だけとなる。
このように、テーマインデックスに基づくユーザ権利を導入することにより、ユーザＵは、当該ユーザ権利を少額から購入したり、当該ユーザ権利の積立をしたりすることが可能になる。
即ち、ユーザＵは、単に株式（ポートフォリオ全体も含む）自体を購入・積立するのではなく、所望のテーマを先ず決定したうえで、当該所望のテーマについてのテーマインデックスに基づくユーザ権利を、任意の単位で任意の分量だけ、購入又は積立をすることができる。
具体的には例えば、ユーザＵの趣味が自転車であり、自転車に関連する企業への投資を所望する場合には、テーマとしての「自転車」に紐付くポートフォリオ（株式）を購入するのではなく、テーマ「自転車」のテーマインデックスに基づくユーザ権利を「１０００円分」等で購入又は積立をする。
その結果、ユーザＵは、ユーザ権利の購入分に応じたリターンを得ることができる。ここで、ユーザＵが得るリターンは、必ずしも通貨である必要は特になく、例えばポイントでもよい。
さらに言えば、テーマインデックスに基づくユーザ権利をユーザＵが購入又は積立をするための原資は、通貨である必要は特になく、例えばポイントでもよい。
また、テーマインデックスに基づくユーザ権利は、自由に処分（例えば譲渡等）が可能なものである。従って、ユーザＵは、自分が保有するユーザ権利のうち任意の持分を、ギフトとして他人に譲渡することもできる。具体的には例えば、ユーザＵは、「１０００円分」のユーザ権利を有していた場合、「１０００円」分のユーザ権利全てを第三者に譲渡することもできるし、「１０００円」のうち「３００円」分といったユーザ権利の一部を第三者に譲渡することができる。
【００３２】
このように、テーマを決定し、そのテーマに係るテーマポートフォリオを作成し、当該テーマポートフォリオのテーマインデックスを作成し、当該テーマインデックスに基づくユーザ権利を生成するまでの一連の処理を、以下、「テーマポートフォリオ作成管理処理」と呼ぶ。
【００３３】
（機能的構成）
図３は、第１実施形態に係る管理サーバ１が有する機能的構成のうち、テーマポートフォリオ作成管理処理を実行させるための機能的構成の一例を示す機能ブロック図である。
【００３４】
管理サーバ１のＣＰＵ１１において、ポートフォリオ作成管理処理が実行される場合には、ＤＢ管理部１０１と、テーマ決定部１０２と、テーマポートフォリオ作成部１０３と、運用パフォーマンス計測部１０４と、テーマインデックス化部１０５と、ユーザ権利管理部１０６とが機能する。
記憶部１８（図４）の一領域には、株式ＤＢ４０１と、テーマＤＢ４０２と、テーマポートフォリオＤＢ４０３と、ユーザＤＢ４０４とが設けられている。
【００３５】
ＤＢ管理部１０１は、株式ＤＢ４０１と、テーマＤＢ４０２と、テーマポートフォリオＤＢ４０３と、ユーザＤＢ４０４との夫々に各種情報を記憶させて管理する。
具体的には例えば、株式ＤＢ４０１には、銘柄毎の株式に関する各種情報（以下、「株式情報」と呼ぶ）が１以上記憶される。
テーマＤＢ４０２には、１以上のテーマ毎に、各種テーマに関する情報（以下、「テーマ情報」と呼ぶ）が記憶される。
テーマポートフォリオＤＢ４０３には、運用対象のテーマポートフォリオに関する各種情報（以下、「テーマポートフォリオ情報」と呼ぶ）が各種テーマ毎に１以上記憶される。
ユーザＤＢ４０４には、ユーザＵ毎に、個人情報の他、どのテーマインデックスに基づくユーザ権利を何単位保有しており、そのリターンはどの程度か等を示す情報（以下、これらをまとめて「ユーザ情報」と呼ぶ）が１以上記憶されている。
ここで、運用とは、上述したようにテーマポートフォリオ（株式）自体を実際に購入して運用することの他、テーマポートフォリオを「仮に購入していたとしたら」という前提のもとで行う株の売買のシミュレーション等も含む広義な概念を意味する。
【００３６】
テーマ決定部１０２は、テーマポートフォリオの作成対象となるテーマを決定する。
テーマポートフォリオ作成部１０３は、決定されたテーマについてのテーマポートフォリオを作成する。
具体的には例えば、テーマＤＢ４０２に記憶されたテーマ情報と、株式ＤＢ４０１に記憶された株式情報との夫々は、ＤＢ管理部１０１によって記憶され、互いに紐付けられ管理されている。
株式情報には、銘柄毎に、発行済株式数や株価等を含む株式に関する情報、業種や提供する商品・サービス等の会社に関する情報、その銘柄が紐付いているテーマ等の情報が含まれる。なお、１種類の株式の銘柄に紐付くテーマは１つに限られない。１種類の株式の銘柄に対し２つ以上のテーマを紐付けることもできる。例えば、Ａ社が、自転車情報雑誌を出版するとともに、若年層の女性をターゲットとしたトレンド情報雑誌を出版する会社である場合には、Ａ社の株式は、例えば「自転車」といったテーマや、「ガールズトレンド」といったテーマの夫々にＡ社の株式を紐付けることができる。
そこで、テーマポートフォリオ作成部１０３は、ＤＢ管理部１０１により管理されている株式情報とテーマ情報とに基づいて、テーマに紐付く複数種類の株式の銘柄の組合せを選択する。
【００３７】
テーマポートフォリオ作成部１０３は、選択した複数種類の株式の銘柄の組合せを構成する株式の銘柄毎の保有比率を演算し、その演算結果に基づいてテーマポートフォリオを作成する。
作成されたテーマポートフォリオに関する各種情報は、テーマポートフォリオ情報としてテーマポートフォリオＤＢ４０３に記憶される。
【００３８】
このように作成されたテーマポートフォリオは、サービス提供者Ｍにより運用される。
運用パフォーマンス計測部１０４は、このようにして運用されているテーマポートフォリオについて、市場の変化に対応するため定期的に保有比率の見直すリバランスを行うべく、運用パフォーマンスを計測する。
その計測結果は、テーマポートフォリオ作成部１０３にフィードバックされる。つまり、テーマポートフォリオ作成部１０３は、その計測結果に基づいて、テーマポートフォリオの更新（リバランス）を行う。即ち、その更新内容に従って、株式の各銘柄が適宜変更される。
【００３９】
テーマインデックス化部１０５は、テーマポートフォリオ作成部１０３により作成された（適宜リバランスが行われた）テーマポートフォリオを「株価」という指標で評価することで、当該テーマポートフォリオに関するテーマインデックスを作成する。
ユーザ権利管理部１０６は、１以上のテーマインデックス毎に、各ユーザＵ毎のユーザ権利を夫々生成し、販売したり、適当なタイミングでリターンをしたり等の管理を行う。
【００４０】
図４は、図３の機能的構成を有する管理サーバ１が実行するテーマポートフォリオ作成管理処理の一例を説明する概要図である。
【００４１】
ステップＳ１において、図３のテーマ決定部１０２は、テーマポートフォリオの作成対象として、「ガールズトレンド」等のテーマを決定する。
【００４２】
ステップＳ２において、テーマポートフォリオ作成部１０３は、ステップＳ１において決定されたテーマについてのテーマポートフォリオを作成する。
具体的には例えば、テーマポートフォリオ作成部１０３は、テーマに沿って個別株（各銘柄）をスクリーニングする。テーマポートフォリオ作成部１０３は、最適な保有比率を計算し、テーマポートフォリオを組成する。
このようなテーマポートフォリオを導入することで、個別銘柄より低いリスクで運用が可能になる。
【００４３】
ステップＳ３において、運用パフォーマンス計測部１０４は、テーマポートフォリオについて運用パフォーマンスを計測する。
その計測結果は、テーマポートフォリオ作成部１０３にフィードバックされる。つまり、運用パフォーマンス計測部１０４は、市場の変化に対応するため定期的に保有比率の見直すリバランスを行う。
【００４４】
ステップＳ４において、テーマインデックス化部１０５は、テーマポートフォリオを「株価」という指標で評価することで、当該テーマポートフォリオに関するテーマインデックスを作成する。
ステップＳ５において、ユーザ権利管理部１０６は、ステップＳ４において作成されたテーマインデックスに基づいて、ユーザ権利を生成する。このユーザ権利の譲渡等の単位は、上述したように特に限定されず、例えば「ガールズトレンド」に関するユーザ権利として、「１０００円」分という単位でユーザＵに譲渡される。これにより、ユーザＵは、その単位（持分）に応じたリターンを得られる。
【００４５】
（ＧＵＩ）
次に、図１のユーザ端末２に表示されるＧＵＩの具体例について説明する。
図５は、図３のユーザ端末２に表示されるＧＵＩの具体例を示す図である。
【００４６】
図５には、ユーザ端末２に表示されるＧＵＩの具体例として、「トップブランド」というテーマについてのテーマインデックスが表示されたＧＵＩが示されている。
図５に示すＧＵＩは、表示領域Ｆ１乃至Ｆ７で構成されている。
【００４７】
表示領域Ｆ１には、テーマの見出し、テーマの名称、テーマの作成年月日、及び値動きを示す値が表示されている。具体的には、表示領域Ｆ１には、テーマの見出しとして「成功の焼印、日本が誇るトップブランド！」という文章が表示されている。また、テーマの名称として「トップブランド」という文字が表示されている。また、テーマの作成年月日として「２０１８/１０/１７」という日付を示す数字及び記号が表示されている。また、値動きを示す値として「ここ１年で  ＋１．５％」という文字、数字、及び記号が表示されている。
【００４８】
表示領域Ｆ２には、テーマインデックスの説明と、その説明の全文を表示させるためのボタンＢ２１が表示されている。具体的には、表示領域Ｆ２には、テーマインデックスの説明として「このテーマインデックスについて」という文章と、「商品を買うとき、何を基準に選びますか？さまざまな企業から同様の商品が発売されているなかで、「誰もが知っているブランドを選ぶ！」という人も多いのではないでしょうか。「ブランド」は、消費者が企業の商品やサービスを評価する際の、見えない価値なのです。」という文章と、「ブランド力が高いと、競争優位性がアップ！」という文章と、「ブランドと聞いて、連想することは人それぞれでしょう。たとえば、「○△×」や「□□□」のような高級ファッションブランドを思い浮かべる人もいれば、「△△×」や「□×△」のようなテクノロジーブランドを思い浮かべる人もいるでしょう。」という文章が表示されている。また、テーマの名称として「トップブランド」という文字が表示されている。また、説明の全文を表示させる際に押下される、「続きを読む」という文章が付されたボタンＢ２１が表示されている。
【００４９】
表示領域Ｆ３には、テーマポートフォリオを構成する銘柄の内訳が表示されている。具体的には、表示領域Ｆ３には、テーマポートフォリオを構成する銘柄の内訳として「テーマポートフォリオの内訳」という文章、「銘柄」という文字、及び「Ａ株式会社」乃至「Ｊ株式会社」という文字が表示されている。また、テーマポートフォリオを構成する各銘柄の内容を表示させる際に押下されるプルダウンボタンＱが表示されている。
【００５０】
表示領域Ｆ４には、テーマポートフォリオ、及び日経平均株価のいままでの値動きを示す値が、数値及びグラフで表示されている。具体的には、表示領域Ｆ４には、ポートフォリオのいままでの値動きとして「ここ１年で  ＋１．４８％」、「ここ１ヶ月で  −７．７８％」、「前日比  −１．９４％」、及び表示させる期間を「１年」とする、テーマポートフォリオと日経平均株価との夫々の値動きを示すグラフが表示されている。
【００５１】
表示領域Ｆ５には、注意書きを示す文章が表示されている。具体的には、表示領域Ｆ５には、「テーマを売買する際には、銘柄ごとに売買代金の０．５％の取引手数料がかかります（税抜・最低手数料５０円）。」という文章、及び「金融商品の取引においては、株価、為替、その他の指標の変動等により損失が生じるおそれがある。」という文章が表示されている。また、手数料とリスクについての詳細説明が記載された文章を表示させる際に押下される、「手数料とリスクについて」という文章が付されたボタンＢ５１が表示されている。
【００５２】
表示領域Ｆ６には、テーマポートフォリオを構成する各銘柄のテーマポートフォリオ全体に対する割合を示す円グラフＲが表示されている。具体的には、表示領域Ｆ６には、円グラフＲと、その内訳と、「注文に必要な額」という文章、及び「インデックスへの投資は、１円から注文が可能です。」という文章とが表示されている。また、テーマポートフォリオに投資する際に押下される、「注文の手続きへ」という文章が付されたボタンＢ６１が表示されている。
【００５３】
表示領域Ｆ７には、テーマに関連する他のテーマの紹介が表示されている。具体的には、表示領域Ｆ７には、「業界Ｎｏ．１」というテーマと、その値動きを示す値「ここ１年で  ＋２．１％」いう文字が付されたアイコンＩ７１と、「創業百年」というテーマと、その値動きを示す値「ここ１年で  ＋２．７％」いう文字が付されたアイコンＩ７２とが表示されている。
【００５４】
［第２実施形態］
（サービス概要）
図６の管理サーバ１は、各種各様なテーマ毎に、所定の指標に基づいて、価値の評価を経時的に行うことができる。価値の評価が行われると、後述する図７に示すように、横軸を「時間」とし、縦軸を「価値」とするグラフＰに、テーマの価値の評価結果を表示することができる。
【００５５】
テーマは、上述したように、目に見えるあらゆる物と、及び目に見えないあらゆるものとをいずれも包含する広い概念であり、カテゴリや分野に分類することができる。具体的には例えば、最新のトピックス、ニュース、イベントといったカテゴリにテーマを分類することができるし、内容に応じて複数の分野にテーマを分類することもできる。これにより、ユーザＵは、複数種類のテーマの中から自身の好みや嗜好に沿ったテーマを自由に選択し、その価値の経時的な流れを容易に把握することができる。なお、テーマは、ユーザＵが自ら作成することもできる。
例えば、テーマが「歌手○○」である場合には、「歌手○○」の価値は、各種各様の指標に基づいて、あらゆるタイミングで評価を行うことができる。
具体的には、管理サーバ１は、「新曲の評判が良い」、「日本武道館でコンサートを行う」、「雑誌のランキングで上位に掲載された」といった「歌手○○」に関する各種情報を反映した指標に基づいて、テーマである「歌手○○」の価値を評価することができる。
なお、例えば、管理サーバ１は、受賞実績、ファンの数、ヒット曲の数、コンサートを開催した回数及びその動員数、歌番組への出演回数、検索用Ｗｅｂサイトにおける検索回数、クリック回数、公式ホームページのページビューの総数、動画サイトにおける楽曲の再生回数など、各種各様な指標を採用してもよい。
【００５６】
また、サーバ１は、日単位、週単位、月単位、年単位など、あらゆるタイミングで、テーマとしての「歌手○○」の価値を評価することができる。さらに、「歌手○○」のみならず、「歌手○○」が提供する楽曲自体も、テーマ「歌手○○」とは異なる独立した１つのテーマとしての価値を評価することもできる。なお、テーマの価値の評価の具体例については、図７を参照して後述する。
【００５７】
（機能的構成）
図６は、第２実施形態に係る管理サーバ１が有する機能的構成のうち、テーマインデックス作成管理処理を実行させるための機能的構成の一例を示す機能ブロック図である。
【００５８】
管理サーバ１のＣＰＵ１１（図２）において、テーマインデックス作成管理処理が実行される場合には、ＤＢ管理部１０１と、テーマ決定部１０２と、テーマインデックス化部１０５と、ユーザ権利管理部１０６とが機能する。
記憶部１８（図２）の一領域には、テーマＤＢ４０２と、ユーザＤＢ４０４とが設けられている。
【００５９】
ＤＢ管理部１０１は、テーマＤＢ４０２と、ユーザＤＢ４０４との夫々に各種情報を記憶させて管理する。
具体的には例えば、テーマＤＢ４０２には、１以上のテーマ毎にテーマ情報が記憶される。テーマ情報には、テーマ毎に、そのテーマを示す画像、そのテーマの説明、そのテーマが属するカテゴリ、そのテーマが属する分野等が含まれる。
ユーザＤＢ４０４には、ユーザＵ毎に、ユーザ情報が１以上記憶されている。
ここで、「ユーザ権利」には、テーマの価値の動向に応じて生じ得る利益又は損失を得る権利が含まれる。
【００６０】
テーマ決定部１０２は、評価の対象となるテーマを決定する。具体的には、テーマ決定部１０２は、ユーザＵによるユーザ端末２に対する操作の内容に基づいて評価の対象となるテーマを決定する。
【００６１】
テーマインデックス化部１０５は、所定の指標に基づいてテーマの価値の評価を行う。指標の具体的内容は、ユーザＵが指定することができる。テーマインデックス化部１０５により、テーマの評価が行われると、その結果は、テーマインデックスとしてテーマＤＢ４０２に記憶されて管理される。なお、テーマインデックスの具体例については、図７を参照して後述する。
【００６２】
ユーザ権利管理部１０６は、１以上のテーマインデックスの夫々について、ユーザＵ毎のユーザ権利を夫々生成し、生成したユーザ権利の管理を行う。例えば、ユーザ権利管理部１０６は、生成したユーザ権利の売買の管理を行う。
ユーザ権利管理部１０６により生成されたユーザ権利は、１以上のユーザＵの夫々に紐付けられ、ユーザＤＢ４０４に記憶されて管理される。
【００６３】
（具体例）
図６に示す機能的構成を有するサーバ１によれば、図７に示すようなテーマインデックスを作成することができる。
図７は、第１実施形態に係る管理サーバ１により作成されるテーマインデックスの具体例を示す図である。
【００６４】
図７に例示するテーマインデックスＤは、評価が行われたタイミングを経時的に示す第１軸（横軸）と、評価結果としてのテーマの価値を指数化した第２軸（縦軸）とからなるグラフＰによって表現することができる。
即ち、グラフＰには、テーマとしての「歌手○○」の価値の経時的な評価結果であるテーマインデックスＤが折線Ｌで示されている。
このテーマインデックスＤは、「ブログや記事等にどのくらい掲載されたのか」に基づいて作成されたテーマインデックスである。つまり、テーマインデックスＤは、いわば「話題性」に基づいて作成された歌手○○についてのテーマインデックスである。具体的には、グラフＰには、ブログや記事等に登場するすべての歌手のうち、歌手○○の登場割合を指数化させた値を縦軸（価値）に示し、歌手○○の評価を行ったタイミング（日単位）を横軸で示している。
【００６５】
図７に示すように、１１月２０日における歌手○○の登場割合は２％であり、このタイミングにおける歌手○○の価値を示す指数は５０となっている。また、その１週間後の１１月２７日における歌手○○の登場割合は４％であり、このタイミングにおける歌手○○の価値の評価結果示す指数は６０となっている。即ち、折線Ｌに示すように、日単位の多少の上下動はあるものの、歌手○○の価値は、１週間でアップしていることがわかる。さらに、その１週間後の１２月４日における歌手○○の登場割合は６％であり、このタイミングにおける歌手○○の価値の評価結果示す指数は７０となっている。即ち、折線Ｌに示すように、日単位の多少の上下動はあるものの、歌手○○の価値は、１週間でアップしていることがわかる。つまり、歌手○○の価値の評価結果示す指数は、１１月２０日から１２月４日までの２週間で、指数が５０から７０にアップ（即ち４０％アップ）していることがわかる。
【００６６】
このように、テーマの価値は、様々な要因によって変動する。ユーザＵは、このようなテーマの価値の変動を利用した投資や権利の売買を行うことができる。換言すれば、
本サービスでは、テーマそのものに対する投資を実現するとともに、テーマの価値の上下動を見越した権利の売買をユーザＵ間で行えるようにすることができる。
なお、本サービスにおいて、必ずしも実際に金銭を用いて投資や権利の売買を行う必要はない。即ち、ゲーム等のように単に価値の変動自体を楽しんでも良いし、それを利用して金銭とは異なる任意の価値（例えば、記念品の贈呈や任意のサービスの提供を受ける権利等）の提供等を受けてもよい。
例えば、ユーザＵが、１１月２０日に、図７に示すテーマ「歌手○○」に１０００円投資した場合を想定する。このとき、ユーザＵに対しては、テーマが「歌手○○」、指標が「話題性」であるテーマインデックスの商品Ａを、額面１０００円で購入した旨を示す証書（有価証券）が発行される。その結果、ユーザＵには、テーマインデックスの商品Ａを額面１０００円で購入した旨を示す証書（有価証券）を、いつでも譲渡してその対価を得ることができる権利を少なくとも含む、「テーマインデックスに基づくユーザ権利」が付与される。
【００６７】
図７のテーマインデックスＤに示すように、テーマ「歌手○○」の価値は、１１月２０日から１週間経過した１１月２７日の時点で、２０％アップ（指数が５０から６０にアップ）している。このため、１１月２０日の時点で額面１０００円であったテーマインデックスに基づくユーザ権利も、価値が２０％アップして時価１２００円になる。つまり、ユーザＵは、１１月２０日に１０００円で取得したテーマインデックスに基づくユーザ権利を、１週間後の１１月２７日に１２００円で売却することで２００円の利益を得ることが可能になる。
また、テーマ「歌手○○」の価値は、１１月２０日から２週間経過した１２月４日の時点で、４０％アップ（指数が５０から７０にアップ）している。このため、１１月２０日の時点で額面１０００円であったテーマインデックスに基づくユーザ権利も、価値が４０％アップして時価１４００円になる。つまり、ユーザＵは、１１月２０日に１０００円で取得したテーマインデックスに基づくユーザ権利を、２週間後の１２月４日に１４００円で売却することで４００円の利益を得ることが可能になる。
【００６８】
決定されたテーマは、１以上のテーマインデックスと対応付けられて管理される。ここで、「１以上の」としたのは、１つのテーマに対して複数のテーマインデックスが作成され得るからである。例えば、図７に示すテーマインデックスＤは、指標「話題性」に基づいて、テーマ「歌手○○」の価値を評価したものであるが、これ以外の指標に基づいて価値が評価されることもある。例えば、楽曲のダウンロード回数で評価する指標「セールス」に基づいて、テーマ「歌手○○」の価値が評価されてもよい。この場合、図４のグラフＰの折線Ｌの形状とは異なる折線の形状のグラフになることが予想される。
このように、１つのテーマに対して複数のテーマインデックスが作成され得るので、例えばテーマ「歌手○○」と指標「話題性」とからなるテーマインデックスの商品Ａと、テーマ「歌手○○」と指標「セールス」とからなるテーマインデックスの商品Ｂとは、夫々独立した商品として取り扱うことができる。また、指標「話題性」と、指標「セールス」との夫々について、比較可能に正規化する処理を施すことにより、テーマ「歌手○○」、指標「話題性・セールス」のテーマインデックスの商品Ｃを取り扱うこともできる。
【００６９】
以上のように、テーマインデックスに基づくユーザ権利を売買の対象にすることにより、例えば株式のような企業への投資に興味を持たないユーザＵであっても、興味のあるテーマの価値の動向を予測しながら、テーマに対する投資を楽しむことができる。また、株を購入したくても高額で購入できないようなユーザＵであっても、株を購入することなく、低額（例えば１円）で投資を楽しむこともできる。
また、サービス提供者Ｍは、ユーザＵから投資された資金を運用することにより、ユーザＵに対し配当を行うこともできる。この場合、テーマインデックスに基づくユーザ権利を保有するユーザＵは、売買以外にも、配当による利益を見込むことができる。
【００７０】
以上、本発明の一実施形態について説明したが、本発明は、上述の実施形態に限定されるものではなく、本発明の目的を達成できる範囲での変形、改良等は本発明に含まれるものである。
【００７１】
ここで、上述の実施形態における本サービスについて、簡単に補足する。
本サービスにおける「テーマポートフォリオを実際に所有していたならば得られる又は所有していたならば得られただろう利益又は損失を指標化したもの」とは、段落[００３０]等で上述したように、必ずしもユーザ又はサービスの提供者によって購入された株式によるものである必要はない。さらに言えば、ここで言う指標とは、あらゆる指標であってもよく、実際の株式市場の株価等を反映したものである必要もない。
【００７２】
つまり、ユーザは、本サービスを利用して、典型的には株の売買を楽しむことができるものの、本来的には、テーマの動向自体を観察したり、テーマの動向に基づく利益や損失を得ることで、テーマについての価値の変動を楽しんだりすることができる。換言すれば、本サービスおける「指標」は勿論、「利益又は損失を指標化した者」とは、その「テーマ」についての価値の変動として、例えば、その「テーマ」におけるポートフォリオの株価の変動を指標として採用することができるに過ぎない。
そのため、例えば、図５等でも示したように、ユーザは、１円からでも本サービスの提供を受けることができる。さらに言えば、ユーザは、必ずしも実際に株を買う必要がないし、サービスの提供者の側も、ユーザに支払う原資さえ確保できるのであれば、必ずしも実際に株を購入する必要がない。
換言すれば、ユーザとしては、自身に興味のあるテーマに対して、投資することができ、それに対して利益等を享受することで、実際に当該テーマとユーザ自身が関わりを持っているということを実感することができ、より当事者に近い立場として、当該テーマについての価値の変動を楽しむことができるのである。この際に、ユーザは、必ずしも実際に株の購入をするのではなく持ち分に相当する権利を購入するため、必ずしも実際の株式の価格や価値に左右されることなく、気軽に（例えば、ゲームのような感覚で）当該テーマの価値の変動を楽しむことができるのである。
【００７３】
また、本サービスは、以下のような点においても有用である。即ち、現状、株式投資を行う場合、ユーザは、口座開設をすることが必要である。これに対して、ユーザは、本サービスを利用することで、わざわざ口座開設をしなくとも、投資と同様の効用を得ることができる。
【００７４】
また例えば、上述した第１実施形態では、テーマポートフォリオを構成する複数種類の株式の銘柄は、単元未満株であってもよいし、単元株であってもよい。
【００７５】
また例えば、上述した第１実施形態では、ユーザＵとして個人投資家を前提として説明いるが、特にこれに限定されず、機関投資家等をユーザＵとしてもよい。
【００７６】
また例えば、上述した第１実施形態では、テーマポートフォリオの作成に際し、サービス提供者側で決定されたテーマに基づいて複数種類の株式の銘柄が自動的に選択されるが、ユーザＵが銘柄や株数を任意に指定できるようにしてもよい。
【００７７】
さらにいえば、上述した第１実施形態では、株式のポートフォリオを対象にしたが、特にこれに限定されず、本発明は金融商品一般等その他投資対象となり得る商品に適用することができる。ここで、金融商品としては、例えば日本国でいえば、金融商品取引業の第１種及び第２種、保険法に定められている保険商品を含む。具体的には例えば、有価証券、みなし有価証券、ＥＴＦ（上場投資信託）、ＲＩＥＴ（不動産投資信託）、デリバティブ、クラウドファンディング、債券、為替、コモディティ（石油等）、生命保険、損害保険、第三分野保険等が金融商品に含まれる。その他投資対象となり得る商品としては、例えば仮想通貨等が存在する。
【００７８】
また例えば、上述の第２実施形態では、テーマインデックスの商品を購入したユーザＵに対し、購入の事実を示す証紙が発行されるが、この証書は紙である必要はなく、権利の帰属を証明可能なデータであってもよい。
【００７９】
また例えば、図２に示すハードウェア構成は、本発明の目的を達成するための例示に過ぎず、特に限定されない。
【００８０】
また、図３及び図６に示す機能ブロック図は、例示に過ぎず、特に限定されない。即ち、上述した一連の処理を全体として実行できる機能が情報処理装置に備えられていれば足り、この機能を実現するためにどのような機能ブロックを用いるのかは、特に図３及び図６の例に限定されない。
【００８１】
また、機能ブロックの存在場所も、図３及び図６に限定されず、任意でよい。
また、１つの機能ブロックは、ハードウェア単体で構成してもよいし、ソフトウェア単体で構成してもよいし、それらの組み合わせで構成してもよい。
例えば管理サーバ１のＤＢ管理部１０１等の少なくとも一部の機能をユーザ端末２に移譲させることもできる。
【００８２】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば管理サーバの他汎用のスマートフォンやパーソナルコンピュータであってもよい。
【００８３】
このようなプログラムを含む記録媒体は、各ユーザＵにプログラムを提供するために装置本体とは別に配布される、リムーバブルメディアにより構成されるだけではなく、装置本体に予め組み込まれた状態で各ユーザＵに提供される記録媒体等で構成される。
【００８４】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
【００８５】
また、本明細書において、システムの用語は、複数の装置や複数の手段等より構成される全体的な装置を意味するものである。
【００８６】
以上まとめると、本発明が適用される情報処理装置は、次のような構成を取れば足り、各種各様な実施形態を取ることができる。
即ち、本発明が適用される情報処理装置（例えば図６の管理サーバ１）は、
評価の対象となるテーマを決定する決定手段（例えば図６のテーマ決定部１０２）と、
所定の指標に基づく前記テーマの価値の評価を、テーマインデックスとして前記テーマ毎に管理する第１管理手段（例えば図６のＤＢ管理部１０１）と、
を備える。
これにより、ユーザに対して、所定のテーマの価値の変動を利用したサービスを提供することができる。
【００８７】
また、前記テーマインデックスの動向に応じて生じ得る利益又は損失を得る権利をユーザ権利として作成して管理する第２管理手段（例えば図６のユーザ権利管理部１０６）をさらに備えることができる。
これにより、例えば株式のような企業への投資に興味を持たないユーザＵであっても、興味のあるテーマの価値の動向を予測しながら、テーマに対する投資を楽しむことができる。また、株を購入したくても高額で購入できないようなユーザＵであっても、株を購入することなく、低額（例えば１円）で投資を楽しむこともできる。
【００８８】
また、決定された前記テーマに紐付く複数種類の銘柄の組合せであるテーマポートフォリオを作成する作成手段（例えば図３のテーマポートフォリオ作成部１０３）をさらに備え、
前記決定手段は、
複数種類の金融商品の銘柄の組合せの作成に際し、前記組合せの基調となる思想や主題の中から、所定の１つを前記テーマとして決定し、
前記第１管理手段は、
決定された前記テーマに基づく前記テーマポートフォリオを実際に所有していた際に生じる又は所有していたならば生じたであろう利益又は損失を指数化したものを、前記テーマインデックスとして管理し、
前記第２管理手段は、
前記テーマインデックスに対応する前記テーマポートフォリオを実際に所有していた際に生じる又は所有していたならば生じたであろう利益又は損失のうち所定の持分に相当する分を得る権利を、前記ユーザ権利として作成して管理することができる。
これにより、ユーザＵは、テーマポートフォリオに対し投資することができるので、ユーザＵにとっての商品選択の幅が広がるとともに、ユーザＵに対し、積極的に投資を行わせる誘因を与えることができる。
【００８９】
また、前記テーマポートフォリオについて、運用パフォーマンスを計測する計測手段（例えば図３の運用パフォーマンス計測部１０４）をさらに備え、
前記作成手段は、さらに、前記計測手段による計測結果に基づいて、前記テーマポートフォリオのリバランスを行うことができる。
これにより、市場の変化に対応するため定期的に保有比率の見直すリバランスが可能になり、ユーザＵに適切なリターンをすることが可能になる。
【符号の説明】
【００９０】
１・・・  管理サーバ
２，２−１乃至２−ｎ・・・  ユーザ端末
３・・・  外部サーバ
１１・・・  ＣＰＵ
１２・・・  ＲＯＭ
１３・・・  ＲＡＭ
１４・・・  バス
１５・・・  入出力インターフェース
１６・・・  出力部
１７・・・  入力部
１８・・・  記憶部
１９・・・  通信部
２０・・・  ドライブ
３０・・・  リムーバブルメディア
１０１・・・  ＤＢ管理部
１０２・・・  テーマ決定部
１０３・・・  テーマポートフォリオ作成部
１０４・・・  運用パフォーマンス計測部
１０５・・・  テーマインデックス化部
１０６・・・  ユーザ権利管理部
４０１・・・  株式ＤＢ
４０２・・・  テーマＤＢ
４０３・・・  テーマポートフォリオＤＢ
４０４・・・  ユーザＤＢ
Ｍ・・・  サービス提供者
Ｕ，Ｕ乃至Ｕｎ・・・  ユーザ
Ｓ１乃至Ｓ５・・・  各ステップ
Ｐ・・・  グラフ
Ｄ・・・  テーマインデックス
Ｌ・・・  折線
Ｆ１乃至Ｆ７・・・  表示領域
Ｂ２１，Ｂ５１，Ｂ６１・・・  ボタン
Ｑ・・・  プルダウンボタン
【図１】
2019139749.tif 000003
【図２】
2019139749.tif 000004
【図３】
2019139749.tif 000005
【図４】
2019139749.tif 000006
【図５】
2019139749.tif 000007
【図６】
2019139749.tif 000008
【図７】
2019139749.tif 000009
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
ユーザにとっての価値の評価の対象となるテーマを決定する決定手段と、
所定の指標に基づく前記テーマの価値の評価を、テーマインデックスとして前記テーマ毎に管理する第１管理手段と、
前記テーマインデックスの動向に応じて前記ユーザに対して生じ得る利益又は損失を得る権利を、前記ユーザに付与するユーザ権利として作成して管理する第２管理手段と、
を備える情報処理装置。
【請求項２】
決定された前記テーマに紐付く複数種類の銘柄の組合せであるテーマポートフォリオを作成する作成手段をさらに備え、
前記決定手段は、
複数種類の金融商品の銘柄の組合せの作成に際し、前記組合せの基調となる思想や主題の中から、所定の１つを前記テーマとして決定し、
前記第１管理手段は、
決定された前記テーマに基づく前記テーマポートフォリオを実際に所有していた際に生じる又は所有していたならば生じたであろう利益又は損失を指数化したものを、前記テーマインデックスとして管理し、
前記第２管理手段は、
前記テーマインデックスに対応する前記テーマポートフォリオを実際に所有していた際に生じる又は所有していたならば生じたであろう利益又は損失のうち所定の持分に相当する分を得る権利を、前記ユーザ権利として作成して管理する、
請求項１に記載の情報処理装置。
【請求項３】
前記テーマポートフォリオについて、運用パフォーマンスを計測する計測手段をさらに備え、
前記作成手段は、さらに、前記計測手段による計測結果に基づいて、前記テーマポートフォリオのリバランスを行う、
請求項２に記載の情報処理装置。
【請求項４】
情報処理装置が実行する情報処理方法であって、
ユーザにとっての価値の評価の対象となるテーマを決定する決定ステップと、
指標としてのインデックスに基づいて前記テーマの価値の評価を行う評価ステップと、
前記評価の結果をテーマインデックスとして前記テーマ毎に管理する第１管理ステップと、
前記テーマインデックスの動向に応じて前記ユーザに対して生じ得る利益又は損失を得る権利を、前記ユーザに付与するユーザ権利として作成して管理する第２管理ステップと、
を含む情報処理方法。
【請求項５】
情報処理装置を制御するコンピュータに、
ユーザにとっての価値の評価の対象となるテーマを決定する決定ステップと、
指標としてのインデックスに基づいて前記テーマの価値の評価を行う評価ステップと、
前記評価の結果をテーマインデックスとして前記テーマ毎に管理する第１管理ステップと、
前記テーマインデックスの動向に応じて前記ユーザに対して生じ得る利益又は損失を得る権利を、前記ユーザに付与するユーザ権利として作成して管理する第２管理ステップと、
を含む制御処理を実行させるプログラム。